(57)【要約】【課題】バックライト装置において、バックライトのエリア制御を行う際に、各エリア間の境界が顕著に表れることを抑制する。【解決手段】エリアＡ１の端縁部に配置されているＬＥＤ５１ａを隣接するエリアＡ２に配列されているＬＥＤ５２と同様に駆動制御する。一方、エリアＡ２の端縁部であってＬＥＤ５１ａに対向して配置されているＬＥＤ５２ａを隣接するエリアＡ１に配列されているＬＥＤ５１と同様に駆動制御する。これにより、エリアＡ１とエリアＡ２との境界を挟んで対向して配置されているＬＥＤ５１ａとＬＥＤ５２ａとは、相互に入れ替えられて駆動制御され、エリアＡ１とエリアＡ２の境界が目立たなくなる。【選択図】図２
2010262900.tif 000002
【特許請求の範囲】
【請求項１】
透過型の画像表示パネルの背面側に配置され、前記画像表示パネルの背面側から該画像表示パネルに光を照射する複数の発光体と、この発光体を駆動制御する駆動制御回路とを備え、
前記発光体は、複数個に区画された各エリアに複数個配列され、各エリア毎に前記駆動制御回路によって駆動されるバックライト装置において、
前記各エリアに配列された複数個の発光体のうち、該エリアの端縁部に配置されている発光体の少なくとも１つは、該エリアに隣接するエリアに配列されている発光体と同様な駆動制御を前記駆動制御回路によりなされることを特徴とするバックライト装置。
【請求項２】
前記各エリアに配列された複数個の発光体のうち、該エリアの端縁部に配置されている発光体の少なくとも１つは、該エリアに隣接するエリアの端縁部に配置されている発光体と相互に入れ替えられて前記駆動制御回路によって駆動制御されることを特徴とする請求項１に記載のバックライト装置。
【請求項３】
前記発光体は、発光ダイオードであることを特徴とする請求項１または請求項２に記載のバックライト装置。
【請求項４】
請求項１乃至請求項３のいずれか一項に記載のバックライト装置と、このバックライト装置の正面側に配置される液晶パネルとを備えたことを特徴とする液晶表示装置。
【発明の詳細な説明】
【技術分野】
【０００１】
本発明は、薄型テレビジョン受像機等の液晶表示装置に用いられるバックライト装置及びそれを用いた液晶表示装置に関するものである。
【背景技術】
【０００２】
従来から、液晶表示装置に用いられるバックライト装置においては、冷陰極管に変えてＬＥＤ（発光ダイオード）を光源とする技術が普及している。このようなバックライト装置にあっては、近年、低消費電力化と高画質化（高コントラスト化）のために、ＬＥＤの発光をエリア毎に制御する、いわゆるエリア制御に関する技術が注目されている。
【０００３】
図４は、従来の直下型のＬＥＤバックライト装置１０４ＡにおけるＬＥＤの配列を示している。同図においては、ＬＥＤ５１〜ＬＥＤ５９は、エリアＡ１〜エリアＡ９の９個の領域に分けて配列され、各エリア毎にＬＥＤ５１〜ＬＥＤ５９の発光が制御される。すなわち、エリアＡ１には２行４列の８個のＬＥＤ５１が配列され、各ＬＥＤ５１は、同一の発光状態に制御される。同様に、エリアＡ２〜Ａ９にはそれぞれ２行４列の８個のＬＥＤ５２〜ＬＥＤ５９がそれぞれ配列され、各ＬＥＤ５１〜ＬＥＤ５９は、それぞれ同一の発光状態に制御される。
【０００４】
図５は、従来のエッジ型のＬＥＤバックライト装置１０４ＢにおけるＬＥＤの配列を示している。このバックライト装置１０４Ｂにおいては、ＬＥＤ５１〜ＬＥＤ５３は、装置の端部に一列に設けられ、ＬＥＤ５１〜ＬＥＤ５３から出射された光は、導光部材８によって液晶パネルに導かれる。同図では、ＬＥＤ５１〜ＬＥＤ５３は、Ｂ１〜Ｂ３の３つのエリアに分けて配列され、各エリア毎にＬＥＤ５１〜ＬＥＤ５３の発光が制御される。すなわち、エリアＢ１には４個のＬＥＤ５１が配列され、各ＬＥＤ５１は、同一の発光状態に制御される。同様に、エリアＢ２及びエリアＢ３にはそれぞれ４個のＬＥＤ５２及びＬＥＤ５３が配列され、各ＬＥＤ５２及びＬＥＤ５３は、それぞれ同一の発光状態に制御される。
【０００５】
また、上記図４及び図５に示したＬＥＤバックライト装置に関連する従来技術として、特許文献１には、表示画面のちらつき防止のため、バックライトを従来の２倍に分割する技術が示されている。また、特許文献２、３には、エリア毎にバックライトの発光輝度を映像信号の明るさに応じて制御する技術が示されている。また、特許文献４には、エリア毎に発光面の輝度を測定し、ＬＥＤの発光輝度を調整する技術が示されている。また、特許文献５には、液晶表示装置における輝度むらを防止する技術が示されている。
【先行技術文献】
【特許文献】
【０００６】
【特許文献１】特開２００９−００３２７０号公報
【特許文献２】特開２００８−３０４９０７号公報
【特許文献３】特開２００７−３２２９４４号公報
【特許文献４】特開２００８−２７００９１号公報
【特許文献５】特開２００５−０１０８００号公報
【発明の概要】
【発明が解決しようとする課題】
【０００７】
しかしながら、上記図４又は図５に示したＬＥＤバックライト装置１０４Ａ又は１０４Ｂを用いてバックライトのエリア制御を行った場合、各エリア間の輝度の違いによって各エリア間の境界が顕著に表れて表示画質が低下する。上記いずれの特許文献に示された技術を適用しても各エリア間の境界に関する課題を解決できない。例えば、特許文献２、３に示された技術においては、隣接するエリアにおける映像信号の明るさの差が大きい場合、各エリア間の境界が顕著に表れて表示画質が低下する。
【０００８】
本発明は、上記課題を解決するためになされたものであり、バックライトのエリア制御を行う際に、各エリア間の境界が顕著に表れることを抑制できるバックライト装置を提供することを目的とする。
【課題を解決するための手段】
【０００９】
上記目的を達成するために請求項１の発明は、透過型の画像表示パネルの背面側に配置され、前記画像表示パネルの背面側から該画像表示パネルに光を照射する複数の発光体と、この発光体を駆動制御する駆動制御回路とを備え、前記発光体は、複数個に区画された各エリアに複数個配列され、各エリア毎に前記駆動制御回路によって駆動されるバックライト装置において、前記各エリアに配列された複数個の発光体のうち、該エリアの端縁部に配置されている発光体の少なくとも１つは、該エリアに隣接するエリアに配列されている発光体と同様な駆動制御を前記駆動制御回路によりなされることを特徴とする。
【００１０】
請求項２の発明は、請求項１に記載のバックライト装置において、前記各エリアに配列された複数個の発光体のうち、該エリアの端縁部に配置されている発光体の少なくとも１つは、該エリアに隣接するエリアの端縁部に配置されている発光体と相互に入れ替えられて前記駆動制御回路によって駆動されることを特徴とする。
【００１１】
請求項３の発明は、請求項１または請求項２に記載のバックライト装置において、前記発光体は、発光ダイオードであることを特徴とする。
【００１２】
請求項４の発明は、請求項１乃至請求項３のいずれか一項に記載のバックライト装置と、このバックライト装置の正面側に配置される液晶パネルとを備えたことを特徴とする液晶表示装置である。
【発明の効果】
【００１３】
請求項１の発明によれば、各エリアの端縁部に配置されている発光体の少なくとも１つは、その隣接するエリアに配列されている発光体と同様な駆動制御をなされるので、エリア制御の際に隣り合うエリアの輝度が異なる場合であっても、各エリア間の境界における輝度の変化を穏やかなものとすることができる。これにより、各エリア間の境界が目立たなくなり、簡素かつ安価な構成で表示画質の低下を抑制し、表示装置の商品性を高めることができる。
【００１４】
請求項２の発明によれば、各エリアの端縁部に配置されている発光体の少なくとも１つは、その隣接するエリアの端縁部に配置されている発光体と相互に入れ替えられて駆動制御回路によって駆動されるので、各エリア間の境界をさらに目立たなくすることができる。
【００１５】
請求項３の発明によれば、発光体として発光ダイオードを用いることにより、表示装置の画質のさらなる向上を図ることができる。
【００１６】
請求項４の発明によれば、簡素かつ安価な構成で表示画質の高い液晶表示装置を実現できる。
【図面の簡単な説明】
【００１７】
【図１】本発明の一実施形態によるバックライト装置を用いた液晶表示装置の概略構成を示す図。
【図２】同バックライト装置（直下型）におけるＬＥＤの配列を示す図。
【図３】本発明の別の実施形態によるバックライト装置（エッジ型）におけるＬＥＤの配列を示す図。
【図４】従来のバックライト装置（直下型）におけるＬＥＤの配列を示す図。
【図５】従来のバックライト装置（エッジ型）におけるＬＥＤの配列を示す図。
【発明を実施するための形態】
【００１８】
本発明の一実施形態によるバックライト装置を用いた液晶表示装置について図面を参照して説明する。図１は液晶表示装置の概略構成を示している。液晶表示装置１は、液晶パネル（画像表示パネル）２と、液晶パネル２の背面側に配置される拡散板３と、拡散板３のさらに背面側に配置されるバックライト装置４等によって構成されている。液晶パネル２は、液晶駆動回路（図示せず）によって駆動され、背面から照射された光を選択的に透過させることにより画像を表示する。拡散板３は、バックライト装置４から出射された光を拡散させながら液晶パネル２の側に透過させる。バックライト装置４は、光を出射する複数のＬＥＤ（発光体）５と、ＬＥＤ５を駆動制御する駆動制御回路６等を有している。ＬＥＤ５及び駆動制御回路６は、基板７に実装されている。
【００１９】
バックライト装置４は、通常ＬＥＤ５の配置によって直下型とエッジ型に分類される。直下型のバックライト装置４とは、液晶パネル２の背後に直接ＬＥＤ５を配置する構成をいう。また、エッジ型のバックライト装置４とは、液晶パネル２の端縁の外側にＬＥＤ５を配置し、導光部材８（図３参照）によって液晶パネル２の背面に光を導く構成をいう。
【００２０】
図２は、直下型のバックライト装置４Ａの構成を示している。直下型のバックライト装置４Ａは、複数のＬＥＤ５１〜ＬＥＤ５９と、駆動制御回路６と、ＬＥＤ５１〜ＬＥＤ５９及び駆動制御回路６が実装される基板７等によって構成されている。ＬＥＤ５は、複数領域（本実施形態においては、９個の領域）に区画された各エリアＡ１〜Ａ９に分けて実装され、原則として各エリア毎に駆動制御回路６によって駆動制御されることにより、バックライトのエリア制御が実現される。駆動制御回路６による駆動制御としては、例えば各エリア毎のＬＥＤ５１〜ＬＥＤ５９の点灯又は消灯の制御の他、ＬＥＤ５１〜ＬＥＤ５９の点灯時における発光強度の制御が挙げられる。
【００２１】
図２において、ＬＥＤ５のうちエリアＡ１として駆動制御回路６によって駆動制御されるものはＬＥＤ５１で表されている。同様に、エリアＡ２として駆動制御されるものはＬＥＤ５２で、エリアＡ３として駆動制御されるものはＬＥＤ５３で、エリアＡ４として駆動制御されるものはＬＥＤ５４で、エリアＡ５として駆動制御されるものはＬＥＤ５５で、エリアＡ６として駆動制御されるものはＬＥＤ５６で、エリアＡ７として駆動制御されるものはＬＥＤ５７で、エリアＡ８として駆動制御されるものはＬＥＤ５８で、エリアＡ９として駆動制御されるものはＬＥＤ５９でそれぞれ表されている。
【００２２】
ＬＥＤ５１のうちエリアＡ１の端縁部に配置されているＬＥＤ５１ａは、駆動制御回路６によって、隣接するエリアＡ２に配列されているＬＥＤ５２と同様な駆動制御をなされる。一方、ＬＥＤ５２のうちエリアＡ２の端縁部であってＬＥＤ５１ａに対向して配置されているＬＥＤ５２ａは、駆動制御回路６によって、隣接するエリアＡ１に配列されているＬＥＤ５１と同様な駆動制御をなされる。すなわち、エリアＡ１とエリアＡ２との境界を挟んで互いに対向して配置されているＬＥＤ５１ａとＬＥＤ５２ａとは、相互に入れ替えられて駆動制御される。なお、ＬＥＤ５１ａとＬＥＤ５２ａとを入れ替えて駆動制御するには、例えば、本来ＬＥＤ５１ａに接続されるべき駆動制御用の配線をＬＥＤ５２ａに接続すると共に、本来ＬＥＤ５２ａに接続されるべき駆動制御用の配線をＬＥＤ５１ａに接続すればよい。
【００２３】
同様に、エリア間の境界を挟んで互いに対向して配置されているＬＥＤ５２ｂとＬＥＤ５３ｂ、ＬＥＤ５１ｃとＬＥＤ５４ｃ、ＬＥＤ５２ｄとＬＥＤ５５ｄ、ＬＥＤ５３ｅとＬＥＤ５６ｅ、ＬＥＤ５４ｆとＬＥＤ５５ｆ、ＬＥＤ５５ｇとＬＥＤ５６ｇ、ＬＥＤ５４ｈとＬＥＤ５７ｈ、ＬＥＤ５５ｉとＬＥＤ５８ｉ、ＬＥＤ５６ｊとＬＥＤ５９ｊ、ＬＥＤ５７ｋとＬＥＤ５８ｋ及びＬＥＤ５８ｌとＬＥＤ５９ｌとは、それぞれ相互に入れ替えられて駆動制御回路６によって駆動制御される。
【００２４】
図３は、エッジ型のバックライト装置４Ｂの構成を示している。エッジ型のバックライト装置４Ｂは、複数のＬＥＤ５１〜ＬＥＤ５３と、駆動制御回路６と、ＬＥＤ５１〜ＬＥＤ５３及び駆動制御回路６が実装される基板７と、ＬＥＤ５１〜ＬＥＤ５３の光を導く導光部材８等によって構成されている。ＬＥＤ５１〜ＬＥＤ５３は、複数領域（本実施形態においては、３個の領域）に区画された各エリアＢ１〜Ｂ３に分けて実装され、原則として各エリア毎に駆動制御回路６によって駆動制御されることにより、バックライトのエリア制御が実現される。
【００２５】
ＬＥＤ５のうちエリアＢ１として駆動制御回路６によって駆動制御されるものはＬＥＤ５１で表されている。同様に、エリアＢ２として駆動制御されるものはＬＥＤ５２で、エリアＢ３として駆動制御されるものはＬＥＤ５３でそれぞれ表されている。ＬＥＤ５１のうちエリアＢ１の端縁部に配置されているＬＥＤ５１ｍは、駆動制御回路６によって、隣接するエリアＢ２に配列されているＬＥＤ５２と同様な駆動制御をなされる。一方、ＬＥＤ５２のうちエリアＢ２の端縁部であってＬＥＤ５１ｍに対向して配置されているＬＥＤ５２ｍは、駆動制御回路６によって、隣接するエリアＢ１に配列されているＬＥＤ５１と同様な駆動制御をなされる。すなわち、エリアＢ１とエリアＢ２との境界を挟んで互いに対向して配置されているＬＥＤ５１ｍとＬＥＤ５２ｍとは、相互に入れ替えられて駆動制御回路６によって駆動制御される。同様に、ＬＥＤ５２ｎとＬＥＤ５３ｎとは、相互に入れ替えられて駆動制御回路６によって駆動制御される。
【００２６】
以上のように、本実施形態のバックライト装置４によれば、エリアＡ１等の端縁部に配置されているＬＥＤ５１等のうち少なくとも１つのＬＥＤ５１ａ等は、その隣接するエリアＡ２等に配列されているＬＥＤ５２等と同様な駆動制御をなされるので、各エリア間の境界における輝度の変化を抑制することができる。これにより、各エリア間の境界が目立たなくなり、簡素かつ安価な構成で表示画質の低下を抑制し、液晶表示装置の商品性を高めることができる。また、エリアＡ１の端縁部に配置されているＬＥＤ５１等のうち少なくとも１つのＬＥＤ５１ａ等は、その隣接するエリアＡ２等の端縁部に配置されているＬＥＤ５２ａ等と相互に入れ替えられて駆動制御回路６によって駆動されるので、各エリア間の境界をさらに目立たなくすることができる。また、バックライト装置４の発光体としてＬＥＤ５を用いることにより、液晶表示装置の画質のさらなる向上を図ることができる。
【００２７】
なお、本発明は上記実施形態の構成に限られることなく、種々の変形が可能である。例えば、ＬＥＤ５の配列や各エリアの区画は、図２及び図３に示したものに限られることなく、適宜設定することができる。特に大画面の液晶表示装置にあっては、各エリアをさらに細かく区画すると共に、各エリア内に実装されるＬＥＤの個数を多く設定することによって、エリア制御を細かく行え、かつ領域の境界を目立たなくすることができる。また、表示パネルは、液晶パネルに限られることなく、透過型の画像表示パネルであれば広く適用可能である。
【符号の説明】
【００２８】
１    液晶表示装置
２    液晶パネル（画像表示パネル）
４    バックライト装置
５    ＬＥＤ（発光体）
６    駆動制御回路
【図１】
2010262900.tif 000003
【図２】
2010262900.tif 000004
【図３】
2010262900.tif 000005
【図４】
2010262900.tif 000006
【図５】
2010262900.tif 000007